(57)【要約】【課題】文書を読み取ることで得られた画情報の送信結果レポートを、文書の秘匿性を損なうことなく送信を指示したユーザに伝達する。【解決手段】画像読取部にセットされた文書を読み取り、読取画像データをＦＡＸ送信又はメール送信で送信するにあたり、読取画像データに秘匿イメージが付加されているか(62)、メール添付ファイルとして指定されたフォーマットが秘匿性重視のフォーマットか(70)、指定された通信プロトコルが秘匿性重視のプロトコルか(78)を判定し、何れかが肯定の場合は秘匿フラグに１をセットし(64,72,80)、送信処理(92又は94)の後、秘匿性フラグが１(110が肯定)であれば送信結果レポートを印刷出力せずに保存し(116又は118)、送信を指示したユーザによって認証情報が入力されると送信結果レポートの印刷出力を行う。【選択図】図２
2008187245.tif 000002
【特許請求の範囲】
【請求項１】
読取装置によって文書が読み取られることで得られた画情報を指定された送信先へ送信する送信手段と、
前記送信手段による前記画情報の送信結果に前記画情報が表す画像を付加した送信結果レポートを出力する出力手段と、
前記文書の秘匿性を判断する判断手段と、
前記判断手段によって秘匿性有りと判断された文書の前記送信結果レポートを、前記出力手段によって出力させることなく記憶手段に情報として記憶させ、認証情報が入力された場合に、前記記憶手段に送信結果レポートの情報を記憶させた文書のうち、前記入力された認証情報に対応する文書の送信結果レポートを前記出力手段によって出力させる制御手段と、
を含む画情報送信装置。
【請求項２】
前記送信手段は設定手段を介して事前に設定された通信方式で前記画情報を送信し、
前記判断手段は、前記設定手段を介して設定された通信方式が秘匿性の高い通信方式か否かを判断することで、前記文書の秘匿性を判断することを特徴とする請求項１記載の画情報送信装置。
【請求項３】
前記読取装置によって文書が読み取られることで得られた原画情報を、設定手段を介して事前に設定されたフォーマットに整形することで前記画情報を生成する生成手段を更に備え、
前記判断手段は、前記設定手段を介して設定されたフォーマットが秘匿性の高いフォーマットか否かを判断することで、前記文書の秘匿性を判断することを特徴とする請求項１記載の画情報送信装置。
【請求項４】
秘匿性を有する文書に付加される特定イメージの情報を記憶する記憶手段を更に備え、
前記判断手段は、前記記憶手段に情報が記憶されている前記特定イメージの情報が前記画情報に含まれているか否かを探索し、前記特定イメージの情報が前記画情報に含まれているか否かに基づいて前記文書の秘匿性を判断することを特徴とする請求項１記載の画情報送信装置。
【請求項５】
前記認証情報は画情報の送信を指示する個々のユーザ毎に設定され、
前記制御手段は、前記判断手段によって秘匿性有りと判断された文書の送信結果レポートの情報を、画情報の送信を指示したユーザに対応する認証情報と対応付けて前記記憶手段に記憶させ、認証情報が入力された場合に、前記記憶手段に送信結果レポートの情報を記憶させた文書のうち、前記入力された認証情報と対応付けられて送信結果レポートの情報が記憶されている文書の送信結果レポートを前記出力手段によって出力させることを特徴とする請求項１記載の画情報送信装置。
【請求項６】
前記制御手段は、前記入力された認証情報と対応付けられて送信結果レポートの情報が記憶されている全ての文書を表示手段に一覧表示させ、一覧表示させた文書の中から選択された文書の送信結果レポートを前記出力手段によって出力させることを特徴とする請求項５記載の画情報送信装置。
【請求項７】
前記個々のユーザ毎に設定される認証情報は、画情報の送信が指示される際のユーザ認証時にユーザによって所定の操作が行われることで入力された認証情報であることを特徴とする請求項５記載の画情報送信装置。
【請求項８】
前記記憶手段には、画情報の送信を指示する複数のユーザのうちの特定のユーザのみが使用するための個別領域が設けられており、
前記個々のユーザ毎に設定される認証情報は前記個別領域毎に予め設定された認証情報であり、
前記制御手段は、前記判断手段によって秘匿性有りと判断された文書の送信結果レポートの情報を、画情報の送信を指示したユーザに対応する個別領域に記憶させることを特徴とする請求項５記載の画情報送信装置。
【請求項９】
前記制御手段は、前記判断手段によって秘匿性有りと判断された文書に認証情報を設定し、設定した認証情報を前記文書の画情報の送信を指示したユーザに通知すると共に、前記文書の送信結果レポートの情報を、前記設定した認証情報と対応付けて前記記憶手段に記憶させ、認証情報が入力された場合に、前記記憶手段に送信結果レポートの情報を記憶させた文書のうち、前記入力された認証情報と対応付けられて送信結果レポートの情報が記憶されている文書の送信結果レポートを前記出力手段によって出力させることを特徴とする請求項１記載の画情報送信装置。
【請求項１０】
前記制御手段は、特定の文書に設定した認証情報を記述した電子メールを、前記特定の文書の画情報の送信を指示したユーザへ暗号化して送信することを特徴とする請求項９記載の画情報送信装置。
【請求項１１】
前記記憶手段には、画情報の送信を指示する複数のユーザが共通に使用するための共通領域が設けられており、
前記制御手段は、前記判断手段によって秘匿性有りと判断された文書の送信結果レポートの情報を前記共通領域に記憶させることを特徴とする請求項５又は請求項９記載の画情報送信装置。
【請求項１２】
読取装置によって文書が読み取られることで得られた画情報を指定された送信先へ送信する機能を備えた機器に内蔵されているか、又は前記機器を構成するコンピュータを、
前記送信手段による前記画情報の送信結果に前記画情報が表す画像を付加した送信結果レポートを出力する出力手段、
前記文書の秘匿性を判断する判断手段、
前記判断手段によって秘匿性有りと判断された文書の前記送信結果レポートを、前記出力手段によって出力させることなく記憶手段に情報として記憶させ、認証情報が入力された場合に、前記記憶手段に送信結果レポートの情報を記憶させた文書のうち、前記入力された認証情報に対応する文書の送信結果レポートを前記出力手段によって出力させる制御手段
として機能させる画情報送信管理プログラム。
【発明の詳細な説明】
【技術分野】
【０００１】
本発明は画情報送信装置及び画情報送信管理プログラムに係り、特に、文書が読み取られることで得られた画情報を指定された送信先へ送信する画情報送信装置、及び、文書が読み取られることで得られた画情報を指定された送信先へ送信する機能を備えた機器に内蔵されているか、又は前記機器を構成するコンピュータで実行される画情報送信管理プログラムに関する。
【背景技術】
【０００２】
一般に、ファクシミリ装置等の画情報送信装置は、読取装置によって送信対象文書が読み取られることで得られた画情報を所望の送信先へ送信させる送信ジョブの実行を指示したユーザが、実行を指示した送信ジョブの結果（成功／失敗）を確認可能とするために、実行が指示された送信ジョブを行う毎に、送信先、送信時刻、送信結果（成功／失敗）等の結果情報を蓄積記憶し、送信結果レポートの印刷出力が指示された、送信結果レポートを前回印刷出力してから一定時間が経過した、或いは蓄積している結果情報が所定量に達した等をトリガとして、蓄積記憶している個々の送信ジョブの結果情報をテキストとして一覧表示した送信結果レポートを印刷出力するように構成されている。しかし、画情報送信装置が複数のユーザによって共用される等の利用環境では、複数のユーザから送信ジョブの実行が指示されるのに対し、送信結果レポートには個々の送信ジョブを識別する情報として送信先や送信時刻が記載されているのみであるので、送信結果レポートを参照しても、個々のユーザが実行を指示した送信ジョブが送信結果レポートに記載されている何れの結果情報に対応しているのかを判別することは困難である。
【０００３】
このため特許文献１には、送信結果レポートの印刷出力が指示されると、個々の送信ジョブにおける送信対象文書のカバーページ又は１ページ目の画情報を縮小レイアウトした送信結果レポートを印刷出力する技術が開示されている。
【０００４】
また、特許文献２には、ユーザを特定するためのユーザコード、ユーザパスワードと共に、ユーザ自身のメールアドレスを管理し、装置を利用する際に入力されたユーザコードとパスワードにより特定されたユーザの操作による通信動作に対する結果レポートを、出力手段から出力せずに、ユーザのメールアドレスにメールで送信する技術が開示されている。
【特許文献１】特開平９−１４９２３０号公報
【特許文献２】特開２００５−２３６４４１号公報
【発明の開示】
【発明が解決しようとする課題】
【０００５】
しかしながら、画情報送信装置で画情報として送信する文書の中には、送信を指示したユーザ以外の第三者（他のユーザ等）に文書の内容が漏洩することが望ましくない、秘匿性を有する文書が存在していることがある。これに対して特許文献１に記載の技術では、送信結果レポートとして印刷出力することが指示された全ての送信対象文書の画情報を送信結果レポート上で縮小レイアウトした画像として印刷出力するため、送信対象文書が秘匿性を有する文書であった場合、当該文書の内容が第三者に漏洩することで秘匿性が損なわれる可能性があるという問題がある。
【０００６】
また、特許文献２に記載の技術では、利用者制限機能をオンしておけば送信結果レポートが印刷出力されずに電子メールとして送信されるので、秘匿性を有する文書の送信結果レポートが不用意に第三者の目に触れることを防止することができる。しかし、電子メールによる情報送受では、電子メールの伝送経路上に存在するサーバ・コンピュータに電子メールのコピーが残るため、悪意を持った第三者によって電子メールの伝送経路上のサーバ・コンピュータから電子メール（送信結果レポート）のコピーが取得される可能性があり、文書の秘匿性確保の点で十分ではない。また、特許文献２に記載の技術では、利用者制限機能をオンされていると全ての送信結果レポートを電子メールとして送信するので、ネットワークのトラフィックが大幅に増大する可能性もある。また、特許文献２に記載の技術は、電子メールを利用できない環境下では適用できないという問題もある。
【０００７】
本発明は上記事実を考慮して成されたもので、文書を読み取ることで得られた画情報の送信結果レポートを、文書の秘匿性を損なうことなく送信を指示したユーザに伝達できる画情報送信装置及び画情報送信管理プログラムを得ることが目的である。
【課題を解決するための手段】
【０００８】
上記目的を達成するために請求項１記載の発明に係る画情報送信装置は、読取装置によって文書が読み取られることで得られた画情報を指定された送信先へ送信する送信手段と、前記送信手段による前記画情報の送信結果に前記画情報が表す画像を付加した送信結果レポートを出力する出力手段と、前記文書の秘匿性を判断する判断手段と、前記判断手段によって秘匿性有りと判断された文書の前記送信結果レポートを、前記出力手段によって出力させることなく記憶手段に情報として記憶させ、認証情報が入力された場合に、前記記憶手段に送信結果レポートの情報を記憶させた文書のうち、前記入力された認証情報に対応する文書の送信結果レポートを前記出力手段によって出力させる制御手段と、を含んで構成されている。
【０００９】
請求項１記載の発明に係る画情報送信装置は、読取装置によって文書が読み取られることで得られた画情報を指定された送信先へ送信する送信手段と、送信手段による画情報の送信結果に画情報が表す画像を付加した送信結果レポートを出力する出力手段を備えている。なお、本発明に係る画情報送信装置としては、ファクシミリ装置、画情報を送信する機能を備えた複写機、読取装置及び画情報を送信する機能を備えた印刷装置、或いは、上記のファクシミリ装置、複写機、印刷装置のうちの２つ以上の機能を兼ね備えた複合機等が好適であるが、例えば読取装置と当該読取装置に接続されたパーソナル・コンピュータ等のコンピュータを本発明に係る画情報送信装置として機能させることも可能である。また、送信手段による画情報の送信における通信形態としては、ファクシミリ通信やＦＴＰ(File Transfer Protocol)等の公知の通信プロトコルに準拠した通信や、画情報を電子メールに添付して送信する形態を適用可能である。また、出力手段による送信結果の出力形態としては、印刷装置による印刷出力が好適であるが、表示手段に送信結果を表示させる形態であってもよい。更に、出力手段が送信結果レポートに付加する画像は、画情報が表す元画像のサイズを縮小した縮小画像が好ましい。
【００１０】
ここで、請求項１記載の発明では、対応する画情報が送信手段によって送信される文書の秘匿性を判断する判断手段が設けられており、制御手段は、判断手段によって秘匿性有りと判断された文書の送信結果レポートを、出力手段によって出力させることなく記憶手段に情報として記憶させ、認証情報が入力された場合に、記憶手段に送信結果レポートの情報を記憶させた文書のうち、入力された認証情報に対応する文書の送信結果レポートを出力手段によって出力させる。このように、請求項１記載の発明では、判断手段によって秘匿性有りと判断された文書については、対応する認証情報が入力されたことを契機として送信結果レポートが出力されるので、送信を指示したユーザが認証情報を入力したとき、すなわち送信を指示したユーザが存在しているときにのみ送信結果レポートが出力されることになり、送信を指示したユーザ以外の第三者によって送信結果レポートが参照されることで前記文書の内容が漏洩することを防止できる。従って、請求項１記載の発明によれば、文書を読み取ることで得られた画情報の送信結果を、文書の秘匿性を損なうことなく送信を指示したユーザに伝達することができる。
【００１１】
なお、請求項１記載の発明において、送信手段が設定手段を介して事前に設定された通信方式で画情報を送信する場合、判断手段は、例えば請求項２に記載したように、設定手段を介して設定された通信方式が秘匿性の高い通信方式か否かを判断することで、文書の秘匿性を判断するように構成することができる。例えば送信手段が画情報を電子メールに添付して送信する態様における秘匿性の高い通信方式としては、情報を暗号化して送受するS/MIME(Secure/Multipurpose Internet Mail Extensions)等が挙げられる。上記のように画情報の送信における通信方式として秘匿性の高い通信方式が設定される場合、当該画情報に対応する文書は秘匿性を有する文書である可能性が非常に高い。これに基づき請求項２記載の発明では、設定された通信方式が秘匿性の高い通信方式か否かを判断することで文書の秘匿性を判断するので、文書の秘匿性を精度良く判断できると共に、文書の送信を指示するにあたって送信を指示するユーザが送信対象の文書の秘匿性を設定する等の煩雑な操作を行う必要も無くなる。
【００１２】
また、請求項１記載の発明において、読取装置によって文書が読み取られることで得られた原画情報を、設定手段を介して事前に設定されたフォーマットに整形することで画情報を生成する生成手段が設けられている場合、判断手段は、例えば請求項３に記載したように、設定手段を介して設定されたフォーマットが秘匿性の高いフォーマットか否かを判断することで、文書の秘匿性を判断するように構成することができる。例えば秘匿性の高いフォーマットとしては、情報を暗号化するフォーマットやパスワード等によってロックを掛けるフォーマット（パスワード等を入力しないと開くことのできないフォーマット）等が挙げられる。上記のように画情報のフォーマットとして秘匿性の高いフォーマットが設定される場合にも、当該画情報に対応する文書は秘匿性を有する文書である可能性が非常に高い。これに基づき請求項３記載の発明では、設定されたフォーマットが秘匿性の高いフォーマットか否かを判断することで文書の秘匿性を判断するので、文書の秘匿性を精度良く判断できると共に、文書の送信を指示するにあたって送信を指示するユーザが送信対象の文書の秘匿性を設定する等の煩雑な操作を行う必要も無くなる。
【００１３】
また、秘匿性を有する文書には、秘匿性を有する文書であることを明示する特定イメージ（例えば「秘」や「社外秘」、"confidential"等の文字を含むマーク等）が付加されることが多い。上記を考慮すると、請求項１記載の発明において、例えば請求項４に記載したように、秘匿性を有する文書に付加される特定イメージの情報を記憶する記憶手段を更に設け、判断手段を、記憶手段に情報が記憶されている特定イメージの情報が画情報に含まれているか否かを探索し、特定イメージの情報が画情報に含まれているか否かに基づいて対応する文書の秘匿性を判断するように構成してもよい。このように、請求項４記載の発明では、特定イメージの情報が画情報に含まれているか（特定イメージが文書に付加されているか）否かに基づいて文書の秘匿性を判断するので、文書の秘匿性を精度良く判断できると共に、文書の送信を指示するにあたって送信を指示するユーザが送信対象の文書の秘匿性を設定する等の煩雑な操作を行う必要も無くなる。
【００１４】
また請求項１記載の発明において、認証情報は、例えば画情報の送信を指示する個々のユーザ毎に設定することができ、この場合、例えば請求項５に記載したように、制御手段は、判断手段によって秘匿性有りと判断された文書の送信結果レポートの情報を、画情報の送信を指示したユーザに対応する認証情報と対応付けて記憶手段に記憶させ、認証情報が入力された場合に、記憶手段に送信結果レポートの情報を記憶させた文書のうち、入力された認証情報と対応付けられて送信結果レポートの情報が記憶されている文書の送信結果レポートを出力手段によって出力させるように構成することができる。請求項５記載の発明では個々のユーザ毎に認証情報が設定されるので、複数の文書の画情報の送信を指示したユーザであっても複数の認証情報を記憶しておく必要は無く、使い勝手を向上させることができる。
【００１５】
また請求項５記載の発明において、入力された認証情報と対応付けられて送信結果レポートの情報が記憶されている文書が複数存在している等の場合を考慮すると、制御手段は、例えば請求項６に記載したように、入力された認証情報と対応付けられて送信結果レポートの情報が記憶されている全ての文書を表示手段に一覧表示させ、一覧表示させた文書の中から選択された文書の送信結果レポートを出力手段によって出力させるように構成することが好ましい。これにより、入力された認証情報と対応付けられて送信結果レポートの情報が記憶されている文書が複数存在している場合にも、送信を指示したユーザが、表示手段に一覧表示された文書の中から所望の文書を選択することで、前記所望の文書の送信結果レポートを出力させることが可能となる。
【００１６】
また請求項５記載の発明において、個々のユーザ毎に設定される認証情報としては、例えば請求項７に記載したように、画情報の送信が指示される際のユーザ認証時にユーザによって所定の操作が行われることで入力された認証情報を適用することができる。この場合、ユーザによって画情報の送信が指示される際に、送信結果レポートの情報と対応付ける認証情報をユーザが改めて入力する必要が無くなり、使い勝手を向上させることができる。
【００１７】
なお、画情報の送信が指示される際のユーザ認証としては、任意の認証方法を適用可能である。すなわちユーザ認証は、ユーザによって入力された認証情報が、予め登録されている認証情報と一致しているかを照合することによって為されるが、ユーザによる認証情報の入力は、例えば画情報の送信を指示するユーザによってキーボード等の入力手段が操作されることで認証情報が入力される形態であってもよいし、認証情報が書き込まれたＩＣカードを個々のユーザが各々所持している環境下で、画情報の送信を指示するユーザによって所持しているＩＣカードをカードリーダ等の読取装置にかざす操作が行われ、読取装置によってＩＣカードから認証情報が読み出されることで認証情報が入力される形態であってもよい。また、認証情報はユーザの生体情報（例えば指紋の情報等）であってもよい。更に、入力された認証情報との照合に用いる認証情報についても、本発明に係る画情報送信装置に登録・保管されていてもよいし、本発明に係る画情報送信装置と通信回線を介して接続されたサーバ・コンピュータ等の別の機器に登録・保管されていてもよい。
【００１８】
また、請求項５記載の発明において、例えば請求項８に記載したように、記憶手段には、画情報の送信を指示する複数のユーザのうちの特定のユーザのみが使用するための個別領域が設けられており、個々のユーザ毎に設定される認証情報は個別領域毎に予め設定された認証情報であり、制御手段は、判断手段によって秘匿性有りと判断された文書の送信結果レポートの情報を、画情報の送信を指示したユーザに対応する個別領域に記憶させるようにしてもよい。上記の個別領域は、本発明に係る画情報送信装置を使用する全てのユーザについて各々設けられていてもよいし、一部のユーザについてのみ設けられていてもよい。請求項８記載の発明において、記憶手段に設けられた個別領域に記憶される送信結果レポートの情報は、個別領域に記憶されることで当該個別領域に設定された認証情報と対応付けられることになる。
【００１９】
また請求項１記載の発明において、認証情報は個々の文書毎に設定されてもよく、例えば請求項９に記載したように、制御手段は、判断手段によって秘匿性有りと判断された文書に認証情報を設定し、設定した認証情報を前記文書の画情報の送信を指示したユーザに通知すると共に、前記文書の送信結果レポートの情報を、設定した認証情報と対応付けて記憶手段に記憶させ、認証情報が入力された場合に、記憶手段に送信結果レポートの情報を記憶させた文書のうち、入力された認証情報と対応付けられて送信結果レポートの情報が記憶されている文書の送信結果レポートを出力手段によって出力させるように構成することができる。請求項９記載の発明では個々の文書毎に認証情報が設定されるので、複数の文書の画情報の送信を指示したユーザが複数の認証情報を記憶しておく必要が有るものの、ユーザ毎に認証情報を設定する場合と比較してセキュリティ性を向上させることができる。
【００２０】
なお、請求項９記載の発明では、画情報送信装置によって個々の文書毎に認証情報が設定されるので、設定された認証情報を、文書の画情報の送信を指示したユーザに通知する必要がある。これを考慮すると、制御手段は、例えば請求項１０に記載したように、特定の文書に設定した認証情報を記述した電子メールを、特定の文書の画情報の送信を指示したユーザへ暗号化して送信するように構成することが好ましい。これにより、文書毎に設定した認証情報を、個々の文書の画情報の送信を指示したユーザに伝達できると共に、電子メールを暗号化して送信することで、電子メールに記述した認証情報が電子メールの伝送経路の途中で漏洩することも防止することができる。
【００２１】
また請求項５又は請求項９記載の発明において、例えば請求項１１に記載したように、記憶手段には、画情報の送信を指示する複数のユーザが共通に使用するための共通領域が設けられており、制御手段は、判断手段によって秘匿性有りと判断された文書の送信結果レポートの情報を共通領域に記憶させるようにしてもよい。上記の共通領域は、本発明に係る画情報送信装置を使用する全てのユーザによって共通に使用される領域であってもよいし、一部のユーザについては請求項８に記載した個別領域が設けられている等の場合、前記一部のユーザ以外の複数のユーザによって共通に使用される領域であってもよい。なお、請求項９記載の発明において、判断手段によって秘匿性有りと判断された文書の送信結果レポートの情報を、設定した認証情報と対応付けて、請求項８に記載のした個別領域に記憶させるように構成することも可能である。
【００２２】
請求項１２記載の発明に係る画情報送信管理プログラムは、読取装置によって文書が読み取られることで得られた画情報を指定された送信先へ送信する機能を備えた機器に内蔵されているか、又は前記機器を構成するコンピュータを、前記送信手段による前記画情報の送信結果に前記画情報が表す画像を付加した送信結果レポートを出力する出力手段、前記文書の秘匿性を判断する判断手段、及び、前記判断手段によって秘匿性有りと判断された文書の前記送信結果レポートを、前記出力手段によって出力させることなく記憶手段に情報として記憶させ、認証情報が入力された場合に、前記記憶手段に送信結果レポートの情報を記憶させた文書のうち、前記入力された認証情報に対応する文書の送信結果レポートを前記出力手段によって出力させる制御手段として機能させる。
【００２３】
請求項１２記載の発明に係る画情報送信管理プログラムは、上記コンピュータを、上記の出力手段、判断手段及び制御手段として機能させるためのプログラムであるので、上記コンピュータが請求項１２記載の発明に係る画情報送信管理プログラムを実行することにより、上記コンピュータが請求項１に記載の画情報送信装置として機能することになり、請求項１記載の発明と同様に、文書を読み取ることで得られた画情報の送信結果レポートを、文書の秘匿性を損なうことなく送信を指示したユーザに伝達することができる。
【発明の効果】
【００２４】
以上説明したように本発明は、秘匿性有りと判断した文書の送信結果レポートを、出力手段によって出力させることなく記憶手段に情報として記憶させ、認証情報が入力された場合に、記憶手段に送信結果レポートの情報を記憶させた文書のうち、入力された認証情報に対応する文書の送信結果レポートを出力手段によって出力させるようにしたので、文書を読み取ることで得られた画情報の送信結果レポートを、文書の秘匿性を損なうことなく送信を指示したユーザに伝達できる、という優れた効果を有する。
【発明を実施するための最良の形態】
【００２５】
以下、図面を参照して本発明の実施形態の一例を詳細に説明する。図１には本実施形態に係る画像入出力装置１０が示されている。本実施形態に係る画像入出力装置１０は、複写機としての機能、プリンタとしての機能及びファクシミリ装置としての機能を兼ね備えた、所謂複合機であり、マイクロコンピュータ等から成りＣＰＵ１４、メモリ１６、ＨＤＤ(Hard Disk Drive)１８及び通信制御部２０を内蔵した本体制御部１２を備えている。
【００２６】
また本体制御部１２には、セットされた読取対象の文書（紙原稿）を光学的に読み取って読取画像データを出力する画像読取部２２と、入力された印刷画像データが表す画像を記録用紙に印刷する印刷処理部２４と、ＬＣＤ等から成る表示部２６Ａ及びテンキーやタッチパネル等から成る操作部２６Ｂが設けられた操作パネル２６が各々接続されている。なお、画像読取部２２は請求項１，３，１２に記載の読取装置に対応しており、操作部２６Ｂは請求項２，３に記載の設定手段として機能する。本体制御部１２の通信制御部２０はＩＰ(Internet Protocol)ネットワークを介してパーソナル・コンピュータ(ＰＣ)等のコンピュータに接続されていると共に、公衆通信網を介してファクシミリ装置としての機能を兼ね備えた他の機器に接続されている。
【００２７】
ところで、本実施形態に係る画像入出力装置１０は、予め登録した正規ユーザのみが画像入出力装置１０を使用できるように設定することが可能とされており、上記のように正規ユーザのみが画像入出力装置１０を使用できるように設定された場合、個々のユーザが画像入出力装置１０を使用する際に、画像入出力装置１０を使用しようとしているユーザが正規ユーザか否かを判定するユーザ認証処理が行われる（詳細は後述）。このユーザ認証処理は、画像入出力装置１０を使用しようとしているユーザによって操作部２６Ｂを介して認証情報（例えばユーザＩＤ及びパスワード）を入力させ、入力された認証情報が登録されている認証情報に一致しているか否かに基づいて正規ユーザか否かを判定するが、本実施形態では、上記の認証情報入力方法に代えて、ＩＣカードによって認証情報を入力したり、指紋を認証情報として用いることも可能とされている。
【００２８】
すなわち、本実施形態に係る画像入出力装置１０では、図１に破線で示す認証情報取得部２８を本体制御部１２に接続可能とされており、例えば個々のユーザがＩＣカードを各々所持しており、ＩＣカードによって認証情報が入力される場合には、認証情報取得部２８としてのＩＣカード読取装置が本体制御部１２に接続される。この場合、操作部２６Ｂを介して認証情報を入力する操作（請求項７に記載の所定の操作に相当）に代えて、所持しているＩＣカードをＩＣカード読取装置にかざす操作（これも請求項７に記載の所定の操作に相当する）がユーザによって行われ、ＩＣカード読取装置がＩＣカードと所定の通信を行ってＩＣカードに予め書き込まれている認証情報を取得することで認証情報の入力が成される。また、認証情報として指紋が用いられる場合には、認証情報取得部２８としての指紋読取装置が本体制御部１２に接続される。この場合、操作部２６Ｂを介して認証情報を入力する操作に代えて、自身の指先を指紋読取装置に接触させる操作（これも請求項７に記載の所定の操作に相当する）がユーザによって行われ、指紋読取装置によってユーザの指紋が読み取られることで認証情報としての指紋情報が入力される。なお、以下では説明を簡単にするために、ユーザ認証処理時に認証情報としてのユーザＩＤ及びパスワードがユーザにより操作部２６Ｂを介して入力されるものとして説明する。
【００２９】
また本体制御部１２のＨＤＤ１８には、ＣＰＵ１４によって実行されるプログラムとして、画像入出力装置１０の各部の動作を制御すると共に、画像入出力装置１０を複合機として機能させる（複写機としての機能、プリンタとしての機能及びファクシミリ装置としての機能を各々実現する）ための本体制御プログラムがインストールされている。またＨＤＤ１８には送信プログラムもインストールされている。この送信プログラムは、ＣＰＵ１４によって後述する画像送信処理を行うための画像送信プログラムと、ＣＰＵ１４によって後述する送信結果レポート出力処理を行うための送信結果レポート出力プログラムを含んで構成されており、請求項１２に記載の画情報送信管理プログラムに対応している。本実施形態に係る画像入出力装置１０はＣＰＵ１４が送信プログラムを実行することで本発明に係る画情報送信装置として機能する。
【００３０】
また、ＨＤＤ１８には秘匿イメージテーブル（後述）が記憶されており、ＨＤＤ１８の記憶領域には共通領域及び親展ボックスが設けられている。親展ボックスは画像入出力装置１０を使用する複数のユーザのうちの特定のユーザに対応する記憶領域であり、親展ボックスには、他の機器から受信した特定のユーザ宛の画像データや、特定のユーザが送信を指示した文書の画像データの送信結果レポートの情報（後述）が格納される。なお、ＨＤＤ１８の記憶領域には互いに異なるユーザに対応する複数の親展ボックスが設けられていてもよい。親展ボックスは請求項８に記載の個別領域に対応している。また、個々の親展ボックスにはパスワードが設定されているが、このパスワードはユーザ認証に用いるパスワードと同一でもよいし相違していてもよい。また共通領域は、画像入出力装置１０を使用する複数のユーザのうち親展ボックスが設けられていない全てのユーザに共通に使用される記憶領域であり、親展ボックスと同様に、対応する各ユーザ宛の画像データや、対応する各ユーザが送信を指示した文書の画像データの送信結果レポートの情報（後述）が格納される。上記の共通領域は請求項１１に記載の共通領域に対応している。
【００３１】
次に本実施形態の作用を説明する。画像入出力装置１０で文書の複写を行う場合（画像入出力装置１０を複写機として機能させる場合）、ユーザは複写対象の文書（紙原稿）を画像読取部２２にセットすると共に、操作パネル２６を操作し、実行すべき処理として「複写」を選択し、更に複写部数や拡大縮小倍率、用紙サイズ、複写濃度等の処理条件を設定した後に、文書の複写開始を指示する。ユーザによって上記の操作が行われた場合、本体制御プログラムのうち複写処理を司るプログラムがＣＰＵ１４によって実行され、画像読取部２２にセットされた文書が画像読取部２２によって読み取られ、当該読み取りによって得られた読取画像データに対し、設定された処理条件に応じた画像処理が本体制御部１２で行われて印刷用画像データが生成され、生成された印刷用画像データに基づいて印刷処理部２４で印刷処理が行われることで、複写対象の文書が複写される。
【００３２】
また、ＰＣ等のコンピュータに保持されている文書ファイルを画像入出力装置１０で文書として印刷させる場合（画像入出力装置１０をプリンタとして機能させる場合）、ユーザは、印刷対象の文書ファイルを取扱可能なアプリケーションがコンピュータ上で稼働しており、かつ前記アプリケーションが印刷対象の文書ファイルを開いている状態で、コンピュータの入力装置（例えばキーボードやマウス等）を操作し、印刷対象の文書ファイルの印刷における処理条件（印刷部数や用紙サイズ、拡大縮小率等）を設定して印刷の実行を指示する。ユーザによって上記の操作が行われた場合、印刷対象の文書ファイルのデータが前記アプリケーションによって画像入出力装置１０へ送信されると共に、設定された印刷条件が画像入出力装置１０へ通知される。そして画像入出力装置１０では、印刷対象の文書ファイルのデータを受信すると、本体制御プログラムのうち印刷処理を司るプログラムがＣＰＵ１４によって実行され、受信した印刷対象の文書ファイルのデータに対し、通知された処理条件に応じた画像処理が本体制御部１２で行われて印刷用画像データが生成され、生成された印刷用画像データに基づいて印刷処理部２４で印刷処理が行われることで、印刷対象の文書ファイルが文書として印刷される。
【００３３】
一方、本実施形態に係る画像入出力装置１０は、文書を画像データとして他の機器へ送信する機能を備え、当該機能を利用して画像データを送信する場合の送信方法として、画像データをファクシミリ通信によって送信する「ＦＡＸ送信」と、画像データを電子メールに添付して送信する「メール送信」の２種類の送信方法が用意されている。
【００３４】
文書の画像データを「ＦＡＸ送信」によって送信する場合（画像入出力装置１０をファクシミリ装置として機能させる場合）、ユーザは送信対象の文書（紙原稿）を画像読取部２２にセットすると共に、操作パネル２６を操作し、実行すべき処理として「ＦＡＸ送信」を選択し、送信先等の処理条件を設定した後に、処理開始を指示する。また、文書の画像データを「メール送信」によって送信する場合、ユーザは送信対象の文書（紙原稿）を画像読取部２２にセットすると共に、操作パネル２６を操作し、実行すべき処理として「メール送信」を選択し、送信先や電子メールに添付する画像データのフォーマット、電子メールを送信する際に適用する通信パラメータ（この通信パラメータには通信プロトコルも含まれる）等の処理条件を設定した後に、処理開始を指示する。なお、画像データのフォーマットとして、パスワードによって画像データにロックを掛けるフォーマットをユーザが設定（選択）した場合には、上記の処理条件の１つとしてパスワードも設定される。
【００３５】
上記のように「ＦＡＸ送信」又は「メール送信」が指示された場合、通常は本体制御プログラムのうち該当する処理を司るプログラムがＣＰＵ１４によって実行されるが、本実施形態では、「ＦＡＸ送信」又は「メール送信」が指示されると、送信プログラムのうちの画像送信プログラムがＣＰＵ１４によって実行されることで、図２に示す画像送信処理が行われる。以下、この画像送信処理について説明する。
【００３６】
画像送信処理では、まずステップ５０でユーザ認証処理を行う。このユーザ認証処理では、認証情報の入力を要請するメッセージを表示部２６Ａに表示させる。これにより「メール送信」又は「ＦＡＸ送信」を所望しているユーザは、表示部２６Ａに表示されたメッセージに従い、自身のユーザＩＤ及びパスワードを操作部２６Ｂを介して入力する。なおユーザＩＤについては、登録されているユーザＩＤを表示部２６Ａに一覧表示して選択させることで入力させるようにしてもよい。本実施形態では、画像入出力装置１０の使用が許可されている正規ユーザのユーザＩＤ及びパスワードがＨＤＤ１８に予め登録されており、ユーザＩＤ及びパスワードが入力されると、入力されたユーザＩＤ及びパスワードをＨＤＤ１８に登録されているユーザＩＤ及びパスワードと照合することで、画像入出力装置１０を現在操作しているユーザが正規ユーザか否か判定する。
【００３７】
ユーザ認証処理で現在操作しているユーザが正規ユーザでないと判定した場合には、表示部２６Ａにエラーメッセージを表示して処理を中止する。また、現在操作しているユーザが正規ユーザであると判定した場合は、次のステップ５２以降の処理を行う。なお、正規ユーザのユーザＩＤ及びパスワードは、通信回線を介して画像入出力装置１０と接続されたサーバ・コンピュータ（認証サーバ）の記憶装置に登録しておくことも可能であり、この場合、入力されたユーザＩＤ及びパスワードを認証サーバへ転送することで認証サーバによってユーザ認証処理を行わせ、認証サーバによるユーザ認証処理の結果を取得するようにすればよい（所謂リモート認証）。
【００３８】
ステップ５２では「ＦＡＸ送信」又は「メール送信」を行わせるにあたってユーザ（送信指示者）が設定した処理条件を取得する送信設定取得処理を行う。これにより、上記の処理条件として「ＦＡＸ送信」であれば送信先等が、「メール送信」であれば送信先や画像データのフォーマット、通信パラメータ等が取得される。またステップ５４では、画像読取部２２にセットされた送信対象の文書（紙原稿）を画像読取部２２によって読み取らせ、当該読み取りに伴って画像読取部２２から出力される読取画像データをメモリ１６に一時記憶させる文書読取処理を行う。
【００３９】
次のステップ５６では、送信結果レポートの出力モードの設定を参照し、送信結果レポートの出力が指示されているか否か判定する。送信結果レポートの出力モードとしては、送信結果レポートを常に出力する第１のモードと、送信に失敗したときにのみ送信結果レポートを出力する第２のモードと、送信結果レポートを常に出力しない第３のモードが用意されている。送信結果レポートの出力モードとして第３のモードが設定されていた場合はステップ５６の判定が否定され、ステップ８４で出力フラグに０がセットされる。次のステップ８６では、画像データの送信方法として「ＦＡＸ送信」が指定されている場合は読取画像データを送信用画像データとしてメモリ１６に格納する一方、画像データの送信方法として「メール送信」が指定されている場合は読取画像データをユーザによって指定されたフォーマットへ変換し、フォーマット変換を経た読取画像データを送信用画像データとしてメモリ１６に格納する処理を行った後にステップ８８へ移行する。
【００４０】
また、送信結果レポートの出力モードとして第１のモード又は第２のモードが設定されていた場合は、ステップ５６の判定が肯定されてステップ６２へ移行し、出力フラグに１をセットすると共に秘匿フラグに０をセットする。ここで、「ＦＡＸ送信」又は「メール送信」による送信対象として画像読取部２２にセットされる文書が、送信を指示したユーザ（及び「ＦＡＸ送信」又は「メール送信」によって送信された画像データを文書として受け取る送信先のユーザ）以外の第三者（画像入出力装置１０を使用する他のユーザ）に文書の内容が漏洩することが望ましくない、秘匿性を有する文書である場合がある。この種の文書には、秘匿性を有する文書であることを明示する特定のイメージ（例えば「秘」や「社外秘」、"confidential"等の文字を含むマーク）が付加されていることが多い（本実施形態では上記のようなイメージを「秘匿イメージ」と称する）。
【００４１】
このため本実施形態では、送信対象の文書が秘匿性を有する文書か否かを判定するために、ＨＤＤ１８に記憶されている秘匿イメージテーブルに、各種の秘匿イメージを表す秘匿イメージデータが各々登録されており、次のステップ６４では、文書読取処理によって得られた読取画像データに対し、秘匿イメージテーブルにデータが登録されている個々の秘匿イメージが存在しているか否かをパターンマッチングによって探索する。なお、文書中の秘匿イメージの位置やサイズは個々の文書毎に相違していることが多いため、ステップ６４における秘匿イメージの探索は、秘匿イメージテーブルにデータが登録されている個々の秘匿イメージについて拡大縮小を各々行い、個々の秘匿イメージ毎に、複数種のサイズの秘匿イメージをテンプレートとして各々用いて複数回のパターンマッチングを行うことが望ましい。
【００４２】
また企業等の組織では、組織内で流通する文書のフォーマットがルール化され、文書に付加する秘匿イメージとして一定のイメージが用いられると共に、文書中の秘匿イメージの付加位置や秘匿イメージのサイズも予め定められていることが多く、このような組織で使用される画像入出力装置１０には、秘匿イメージテーブルに多数種の秘匿イメージのデータを登録しておく必要はないが、秘匿イメージの付加位置や秘匿イメージのサイズについては、文書を複写した際の拡大縮小率の設定や複写位置のずれ等により、送信対象の文書に付加されている秘匿イメージの位置やサイズが所定の位置やサイズに対してずれている可能性があるので、上記と同様に、複数種のサイズの秘匿イメージを用いて複数回のパターンマッチングを行うことが望ましい。
【００４３】
次のステップ６２では、ステップ５６の探索によって読取画像データ中に秘匿イメージが発見されたか否か判定する。なお、ステップ６０，６２は本発明に係る判断手段（詳しくは請求項４に記載の判断手段）に対応している。この判定が否定された場合はステップ６６へ移行するが、ステップ６２の判定が肯定された場合は、送信対象の文書に秘匿イメージが付加されているため、送信対象の文書は秘匿性を有する文書である可能性が高いと判断できるので、ステップ６４で秘匿フラグに１をセットした後にステップ６６へ移行する。
【００４４】
ステップ６６ではユーザによって指定された画像データの送信方法が「メール送信」か否か判定する。画像データの送信方法として「ＦＡＸ送信」が指定されている場合は上記判定が否定されてステップ８２へ移行し、読取画像データを送信用画像データとしてメモリ１６に格納する。
【００４５】
一方、画像データの送信方法として「メール送信」が指定されている場合は、ステップ６６の判定が肯定されてステップ６８へ移行し、先のステップ５０で取得した処理条件からユーザによって設定された画像データのフォーマットを表す情報を抽出する。そして次のステップ７０では、ステップ６８で抽出した情報に基づき、ユーザが指定した画像データのフォーマットが情報の秘匿性を重視するフォーマットか否か判定する。なお、情報の秘匿性を重視するフォーマットとしては、例えばパスワード等によって画像データにロックを掛けるフォーマット（一例としてはパスワード付きのPDF(Portable Document Format)ファイル等）が挙げられるが、その他に画像データを暗号化するフォーマットであってもよい。また、ステップ６８，７０は本発明に係る判断手段（詳しくは請求項３に記載の判断手段）に対応している。この判定が否定された場合はステップ７４へ移行するが、ステップ７０の判定が肯定された場合、送信対象の文書は秘匿性を有する文書である可能性が高いと判断できるので、ステップ７２で秘匿フラグに１をセットした後にステップ７４へ移行する。
【００４６】
そしてステップ７４では、ステップ６８で抽出した情報が表すフォーマット（ユーザによって指定されたフォーマット）へ読取画像データを変換する。なお、このステップ７４は請求項３に記載の生成手段に対応している。
【００４７】
またステップ７６では、先のステップ５０で取得した処理条件から、ユーザによって設定された通信パラメータを表す情報を抽出する。次のステップ７８では、ステップ７６で抽出した情報のうち通信プロトコルを指定する情報に基づき、ユーザが指定した通信プロトコルが送受する情報の秘匿性を重視する通信プロトコルか否か判定する。なお、情報の秘匿性を重視する通信プロトコルとしては、情報を暗号化して送受するプロトコル（一例としては、電子メールの送受において添付ファイルを含む電子メールを暗号化するS/MIMEが挙げられる。また、このステップ７６，７８は本発明に係る判断手段（詳しくは請求項２に記載の判断手段）に対応している。
【００４８】
この判定が否定された場合はステップ８２へ移行するが、ステップ７８の判定が肯定された場合、送信対象の文書は秘匿性を有する文書である可能性が高いと判断できるので、ステップ８０で秘匿フラグに１をセットした後にステップ８２へ移行する。そしてステップ８２では、先のステップ７４におけるフォーマット変換を経た読取画像データを送信用画像データとしてメモリ１６に格納し、ステップ８８へ移行する。
【００４９】
ステップ８８では、先のステップ８２（又はステップ８６）でメモリ１６に格納した送信用画像データを送信可能な状態になったか否か判定する。例えば通信制御部２０がビジー状態である等の場合には判定が否定され、ステップ８８の判定が肯定される迄ステップ８８を繰り返す。送信用画像データを送信可能な状態になると、ステップ８８の判定が肯定されてステップ９０へ移行し、ユーザによって指定された画像データの送信方法が「メール送信」か否か判定する。判定が肯定された場合はステップ９２へ移行し、ユーザによって設定された送信先を宛先として設定した電子メールを作成し、メモリ１６から送信用画像データを読み出し、読み出した送信用画像データを作成した電子メールに添付ファイルとして添付し、送信用画像データを添付した電子メールをユーザによって設定された通信パラメータ（通信プロトコル）に従いＩＰネットワークを通じて送信するメール送信処理を行う。なお、ここでは電子メールを例に説明したが、FTP(File Transfer Protocol)やSMB(Server Message Block)のように、電子メールと同様にＩＰネットワークを通じて送信する他のプロトコルであってもよい。また、ステップ９０の判定が否定された場合はステップ９４へ移行し、ユーザによって設定された送信先の相手機に対して公衆通信網を通じて発呼を行い、所定のコマンドの送受を経て画像データを送信可能な状態になると、メモリ１６から送信用画像データを順次読み出し、公衆通信網を通じて相手機へ送信するＦＡＸ送信処理を行う。
【００５０】
ステップ９２のメール送信処理又はステップ９４のＦＡＸ送信処理が終了するとステップ９６へ移行し、送信結果レポートの出力モードとして、送信に失敗したときにのみ送信結果レポートを出力する第２のモードが設定されているか否か判定する。判定が否定された場合はステップ１０４へ移行するが、判定が肯定された場合はステップ９８へ移行し、ステップ９２のメール送信処理又はステップ９４のＦＡＸ送信処理で送信に失敗したか否か判定する。そして、判定が肯定された場合はステップ１００で出力フラグに１をセットし、判定が否定された場合はステップ１０２で出力フラグに０をセットした後にステップ１０４へ移行する。
【００５１】
ステップ１０４では出力フラグに１がセットされているか否かを判定することで、送信結果レポートの出力を行うか否か判定する。この判定が否定された場合は何ら処理を行うことなく画像送信処理を終了する。また、ステップ１０４の判定が肯定された場合はステップ１０６へ移行し、メール送信処理又はＦＡＸ送信処理の送信結果（正常終了／失敗、失敗の場合はその理由も含む）と送信日時（メール送信処理又はＦＡＸ送信処理の実行日時や所要時間等）を取得し、取得した送信結果及び送信日時が送信結果レポートに文字として明示されるように、送信結果レポートを印刷出力するための送信結果レポート情報に設定する。またステップ１０８では、送信用画像データをメモリ１６から読み込み、読み込んだ送信用画像データから送信対象文書の１頁分の画像データ（例えば送信対象文書の１頁目の画像データ）を抽出し、抽出した画像データを縮小する（画素を間引く）ことでサムネイル画像データを作成し、作成したサムネイル画像データを送信結果レポート情報に付加する。
【００５２】
次のステップ１１０では秘匿フラグに１がセットされているか否か判定する。判定が否定された場合は送信結果レポートの印刷出力を中止する必要が無いので、ステップ１１４で送信結果レポート情報を印刷処理部２４へ出力することで、当該送信結果レポート情報が表す送信結果レポートを印刷処理部２４によって印刷出力させ、画像送信処理を終了する。この場合、例として図３に示すように、送信対象文書のサムネイル画像が付加された送信結果レポートが印刷出力されるので、この送信結果レポートを参照したユーザが、何れの文書の送信結果レポートであるかを容易に判別することができる。なお、上記処理におけるステップ１０６，１０８，１１４は、実際に送信結果レポートの印刷出力を行う印刷処理部２４と共に、本発明に係る出力手段に対応している。
【００５３】
一方、ステップ１１０の判定が肯定された場合（秘匿フラグに１がセットされている場合）にはステップ１１２へ移行し、送信対象文書の送信を指示したユーザが、ＨＤＤ１８の記憶領域に親展ボックスが設けられているユーザか否か判定する。判定が肯定された場合はステップ１１６へ移行し、送信対象文書の送信を指示したユーザに対応する親展ボックスに送信結果レポート情報を格納し、画像送信処理を終了する。この場合、送信結果レポート情報を格納した親展ボックスに設定されているパスワードは、請求項８に記載の認証情報に相当する。また、ステップ１１２の判定が否定された場合はステップ１１８へ移行し、送信結果レポート情報を、ユーザ認証処理でユーザによって入力されたユーザＩＤ（又はパスワード）と対応付けて共通領域に格納し、画像送信処理を終了する。なお、ステップ１１８で送信結果レポート情報と対応付けるユーザＩＤ（又はパスワード）は請求項７に記載の認証情報に対応している。
【００５４】
このように、本実施形態に係る画像送信処理では、秘匿フラグに１がセットされている場合、すなわち送信対象文書が秘匿性を有する文書と判断した場合に、送信結果レポートを印刷出力することなく、送信結果レポート情報を親展ボックス又は共通領域に格納するので、送信対象文書のサムネイル画像が付加された送信結果レポートが印刷出力されることで、送信対象文書の内容が送信を指示したユーザ以外の第三者へ漏洩することを防止することができる。なお、上記のステップ１１０，１１２〜１１８は、次に説明する送信結果レポート出力処理と共に本発明に係る制御手段（より詳しくは請求項５に記載の制御手段）に対応しており、特に、ステップ１１６は請求項８に記載の制御手段に、ステップ１１８は請求項１１に記載の制御手段に各々対応している。
【００５５】
次に、親展ボックス又は共通領域に格納されている送信結果レポート情報を送信結果レポートとして印刷出力することがユーザによって指示された場合に、ＣＰＵ１４によって送信結果レポート出力プログラムが実行されることで実現される送信結果レポート出力処理について、図４のフローチャートを参照して説明する。
【００５６】
この送信結果レポート出力処理では、まずステップ１３０において、送信結果レポートの印刷出力を指示したユーザに対してユーザＩＤを入力させる操作を行わせることで前記ユーザを特定するユーザ特定処理を行う。なお、このユーザ特定処理に代えて前述のユーザ認証処理を行うようにしてもよい。次のステップ１３２では、ステップ１３０のユーザ特定処理によって特定したユーザが、ＨＤＤ１８の記憶領域に親展ボックスが設けられているユーザか否か判定する。判定が肯定された場合はステップ１３４へ移行し、例として図５(Ａ)に示すようなメッセージを表示部２６Ａに表示させることで、送信結果レポートの印刷出力を指示したユーザに対し、対応する親展ボックスに設定されている認証情報（パスワード）の入力を要求する。また、ステップ１３２の判定が否定された場合はステップ１３６へ移行し、例として図５(Ｂ)に示すようなメッセージを表示部２６Ａに表示させることで、送信結果レポートの印刷出力を指示したユーザに対し、文書の送信を指示した際のユーザ認証処理で入力した認証情報（パスワード）を再度入力するよう要求する。
【００５７】
ステップ１３４又はステップ１３６の処理を行うとステップ１３８へ移行し、ユーザによって認証情報が入力されたか否か判定し、判定が肯定される迄ステップ１３８を繰り返す。この間、送信結果レポートの印刷出力を指示したユーザは、対応する親展ボックスが設けられているユーザであれば、当該親展ボックスに設定されているパスワードを操作部２６Ｂを介して入力し、対応する親展ボックスが設けられていないユーザであれば、文書の送信を指示した際のユーザ認証処理で入力したパスワードを操作部２６Ｂを介して再度入力する。ユーザによって上記操作が行われてパスワードが入力されると、ステップ１３８の判定が肯定されてステップ１４０へ移行し、ユーザによって正しいパスワードが入力されたか否か判定する。判定が否定された場合はステップ１４２へ移行し、表示部２６Ａにエラーメッセージを表示する等のエラー処理を行って送信結果レポート出力処理を終了する。
【００５８】
また、正しいパスワードが入力された場合、送信結果レポートの印刷出力を指示したユーザは正規ユーザ（文書の送信を指示したユーザ）であると判断できるので、ステップ１４０の判定が肯定されてステップ１４４へ移行し、送信結果レポートの印刷出力を指示したユーザに対応する送信結果レポート情報を全て抽出する。なお、送信結果レポート情報の抽出は、送信結果レポートの印刷出力を指示したユーザが対応する親展ボックスが設けられているユーザであれば、当該親展ボックスに格納されている送信結果レポート情報を全て抽出することによって成され、送信結果レポートの印刷出力を指示したユーザが対応する親展ボックスが設けられていないユーザであれば、共通領域に格納されている送信結果レポートのうち前記ユーザのユーザＩＤと対応付けられている送信結果レポート情報を全て抽出することによって成される。
【００５９】
次のステップ１４６では、ステップ１４４で送信結果レポート情報が複数抽出されたか否か判定する。判定が否定された場合（送信結果レポート情報が１個のみ抽出された場合）にはステップ１４８へ移行し、抽出された送信結果レポート情報を印刷処理部２４へ出力することで、当該送信結果レポート情報が表す送信結果レポートを印刷処理部２４によって印刷出力させ、送信結果レポート出力処理を終了する。また、ステップ１４６の判定が肯定された場合（送信結果レポート情報が複数個抽出された場合）はステップ１５０へ移行し、抽出された個々の送信結果レポート情報から送信日時や送信先等の情報を抽出し、例として図５(Ｃ)に示すように、個々の送信結果レポート情報から抽出した送信日時や送信先等を表示部２６Ａに一覧表示させると共に、印刷出力対象の送信結果レポートの選択をユーザに要求する。
【００６０】
次のステップ１５２では、送信日時や送信先等を一覧表示させた複数の送信結果レポートの中から印刷出力対象の送信結果レポートが選択されたか否か判定し、判定が肯定される迄ステップ１５２を繰り返す。なお、ステップ１５０、１５２は請求項６に記載の制御手段に対応している。複数の送信結果レポートの送信日時や送信先等が表示部２６Ａに一覧表示されると、ユーザは、表示されている送信日時や送信先等の情報に基づいて印刷出力を所望している送信結果レポートを認識し、認識した送信結果レポートを選択する操作を操作部２６Ｂを介して行う。この操作が行われるとステップ１５２の判定が肯定されてステップ１５４へ移行し、ユーザによって選択された送信結果レポート情報を印刷処理部２４へ出力することで、当該送信結果レポート情報が表す送信結果レポートを印刷処理部２４によって印刷出力させ、送信結果レポート出力処理を終了する。
【００６１】
上述した送信結果レポート出力処理では、送信結果レポートの印刷出力を指示したユーザが正規ユーザ（文書の送信を指示したユーザ）であることを確認した後に、ステップ１４８，１５４で送信結果レポートの印刷出力を行っているので、送信結果レポートの印刷出力を指示したユーザ（文書の送信を指示したユーザ）が、印刷出力された送信結果レポートを排出トレイから直ちに取り出す等の操作を行うことで、印刷出力された送信結果レポート（に付加されているサムネイル画像）が第三者の目に触れることを防止することができ、送信対象文書の内容が送信を指示したユーザ以外の第三者へ漏洩することを防止することができる。
【００６２】
次に本発明の他の態様として、図６及び図７を参照し、画像送信処理及び送信結果レポート出力処理の他の例について、先に説明した画像送信処理（図２）及び送信結果レポート出力処理（図４）と異なる部分についてのみ説明する。
【００６３】
図６に示す画像送信処理では、ステップ１０６，１０８で送信結果レポート情報を生成した後に、秘匿フラグに１がセットされていることでステップ１１０の判定が肯定された場合に、ステップ１１１において、送信対象文書（の送信結果レポート）に設定する認証情報（パスワード等）を生成する。なお、送信対象文書に設定する認証情報は、例えば乱数等を用いて生成することができるが、乱数等を用いて認証情報を生成する毎に、生成した認証情報が、送信結果レポートが未出力の他の文書に対して既に設定している認証情報と重複していないか否かをチェックするチェック処理を行い、このチェック処理で重複していないと判定される迄上記の認証情報の生成及びチェック処理を繰り返すことが望ましい。
【００６４】
ステップ１１１で送信対象文書（の送信結果レポート）に設定するとステップ１１２へ移行し、送信対象文書の送信を指示したユーザが、ＨＤＤ１８の記憶領域に親展ボックスが設けられているユーザか否か判定する。判定が肯定された場合はステップ１１７へ移行し、送信対象文書の送信を指示したユーザに対応する親展ボックスに、送信結果レポート情報及び先のステップ１１１で生成した認証情報を対応付けて格納する。また、ステップ１１２の判定が否定された場合はステップ１１９へ移行し、送信結果レポート情報及び先のステップ１１１で生成した認証情報を対応付けて共通領域に格納する。
【００６５】
そして、ステップ１１７又はステップ１１９の処理を行うとステップ１２０へ移行し、先のステップ１１１で生成した認証情報を送信対象文書（の送信結果レポート）に設定した認証情報として通知する電子メール（認証情報通知メール）を生成し、予めＨＤＤ１８に登録されている個々の正規ユーザの電子メールアドレスのうち、送信対象文書の送信を指示したユーザの電子メールアドレスを送信先として、生成した認証情報通知メールを通信制御部２０を介して暗号化して送信し、画像送信処理を終了する。なお、認証情報通知メールによって通知された認証情報が何れの送信対象文書（の送信結果レポート）に設定された認証情報であるかをユーザが容易に認識可能とするために、認証情報通知メールには、通知対象の認証情報以外に、送信日時や送信先等の情報も記述しておくことが望ましい。
【００６６】
送信対象文書の送信を指示したユーザが操作するＰＣで上記の認証情報通知メールが受信され、受信した認証情報通知メールの内容が前記ユーザによって参照されることで、送信対象文書（の送信結果レポート）に設定した認証情報が前記ユーザに伝達される。また、認証情報通知メールは暗号化されて送信されるので、悪意を持った第三者によって認証情報通知メールの伝送経路上のサーバ・コンピュータから認証情報通知メールのコピーが取得されたとしても、認証情報通知メールのコピーを取得した第三者に認証情報が認識されることを防止することができる。
【００６７】
なお、図６に示す画像送信処理におけるステップ１１１，１１２，１１７，１１９，１２０は、次に述べる送信結果レポート出力処理と共に本発明に係る制御手段（より詳しくは請求項９に記載の制御手段に対応しており、特に、ステップ１１９は請求項１１に記載の制御手段に、ステップ１２０は請求項１０に記載の制御手段に各々対応している。
【００６８】
次に、図７に示す送信結果レポート出力処理の他の例を説明する。図７に示す送信結果レポート出力処理では、まずステップ１６０において、先に説明した送信結果レポート出力処理(図４)のステップ１３０と同様のユーザ特定処理を行う。また、ステップ１６２では、例として図５(Ｄ)に示すようなメッセージを表示部２６Ａに表示させることで、送信結果レポートの印刷出力を指示したユーザに対し、印刷出力対象の送信結果レポートに設定されている認証情報（認証情報通知メールで通知した認証情報）の入力を要求する。次のステップ１６４ではユーザによって認証情報が入力されたか否か判定し、判定が肯定される迄ステップ１６４を繰り返す。
【００６９】
図５(Ｄ)に示すようなメッセージが表示部２６Ａに表示されると、送信結果レポートの印刷出力を指示したユーザは、印刷出力を所望している送信結果レポートに設定されている認証情報を操作部２６Ｂを介して入力する。これにより、ステップ１６４の判定が肯定されてステップ１６６へ移行し、送信結果レポートの印刷出力を指示したユーザが、ＨＤＤ１８の記憶領域に親展ボックスが設けられているユーザか否か判定する。判定が肯定された場合はステップ１６８へ移行し、送信結果レポートの印刷出力を指示したユーザによって入力された認証情報と対応付けて記憶されている送信結果レポート情報を、前記ユーザに対応する親展ボックス内で探索する。また、ステップ１６６の判定が否定された場合はステップ１７０へ移行し、送信結果レポートの印刷出力を指示したユーザによって入力された認証情報と対応付けて記憶されている送信結果レポート情報を共通領域内で探索する。
【００７０】
ステップ１７２では、ステップ１６８又はステップ１７０の探索によって該当する送信結果レポート情報が抽出されたか否か判定する。判定が否定された場合はステップ１７４へ移行し、表示部２６Ａにエラーメッセージを表示する等のエラー処理を行って送信結果レポート出力処理を終了する。また、該当する送信結果レポート情報が抽出された場合には、ステップ１７２の判定が肯定されてステップ１７６へ移行し、抽出された送信結果レポート情報を印刷処理部２４へ出力することで、当該送信結果レポート情報が表す送信結果レポートを印刷処理部２４によって印刷出力させ、送信結果レポート出力処理を終了する。
【００７１】
このように、図７に示す送信結果レポート出力処理では、送信結果レポートの印刷出力を指示したユーザにより、文書の送信を指示したユーザしか知り得ない認証情報が入力されたことを契機として送信結果レポートの印刷出力を行っているので、送信結果レポートの印刷出力を指示したユーザ（文書の送信を指示したユーザ）が、印刷出力された送信結果レポートを排出トレイから直ちに取り出す等の操作を行うことで、印刷出力された送信結果レポート（に付加されているサムネイル画像）が第三者の目に触れることを防止することができ、送信対象文書の内容が送信を指示したユーザ以外の第三者へ漏洩することを防止することができる。
【００７２】
また、図６に示す画像送信処理及び図７に示す送信結果レポート出力処理では、個々の送信対象文書（の送信結果レポート）を単位として認証情報を設定し、設定した認証情報を、送信対象文書の送信を指示したユーザへ認証情報通知メールによって通知しているので、特定ユーザが送信を指示した文書の送信結果レポートが複数存在している場合にも、当該特定ユーザに通知された複数の認証情報のうち、印刷出力を所望している送信結果レポートに対応する認証情報を入力するのみで、印刷出力を所望している送信結果レポートを選択的に印刷出力させることができ、操作性を向上させることができる。
【００７３】
なお、上記では本発明に係る送信手段による画情報の送信方式として「ＦＡＸ送信」及び「メール送信」を例に説明したが、本発明はこれに限定されるものではなく、ＦＴＰによる送信等、他の送信方式によって画情報を送信する場合にも適用可能である。
【００７４】
また、上記では本発明に係る画情報送信装置として画像入出力装置１０（複合機）を適用した例に説明したが、これに限定されるものではなく、本発明に係る画情報送信装置としてファクシミリ装置を適用してもよいし、スキャナ、コンピュータ及びプリンタから成り、スキャナが文書の読み取りを行い、コンピュータが画情報の送信を行い、プリンタが送信結果レポートの印刷出力を行う画情報送信システムを本発明に係る画情報送信装置として機能させることも可能である。
【００７５】
また、上記では送信結果レポートを印刷出力する態様を説明したが、本発明は送信結果レポートをディスプレイ等の表示手段に表示させる態様にも適用可能である。
【００７６】
更に、上記では親展ボックスが設けられているユーザから送信が指示された文書の送信結果レポート情報を親展ボックスに記憶させ、親展ボックスが設けられていないユーザから送信が指示された文書の送信結果レポート情報を共通領域に記憶させる態様を説明したが、これに限定されるものではなく、各ユーザから送信が指示された文書の送信結果レポートを全て同一の領域（例えば共通領域）に記憶させるようにしてもよいし、全てのユーザについて個別領域（例えば親展ボックス）が各々設けられている場合には、各ユーザから送信が指示された文書の送信結果レポートを各ユーザに対応する個別領域に分けて記憶させるようにしてもよい。
【００７７】
また、上記では本発明に係る画情報送信管理プログラム（送信プログラム）が本体制御部１２のＨＤＤ１８に予め記憶（インストール）されている態様を説明したが、本発明に係る画情報送信管理プログラムは、ＣＤ−ＲＯＭやＤＶＤ−ＲＯＭ等の記録媒体に記録されている形態で提供することも可能である。
【図面の簡単な説明】
【００７８】
【図１】本実施形態に係る画像入出力装置の概略構成を示すブロック図である。
【図２】画像入出力装置の本体制御部で実行される画像送信処理の内容の一例を示すフローチャートである。
【図３】送信結果レポートの一例を示すイメージ図である。
【図４】画像入出力装置の本体制御部で実行される送信結果レポート出力処理の内容の一例を示すフローチャートである。
【図５】画面イメージの一例を示すイメージ図である。
【図６】画像送信処理の内容の他の例を示すフローチャートである。
【図７】送信結果レポート出力処理の内容の他の例を示すフローチャートである。
【符号の説明】
【００７９】
１０  画像入出力装置
１２  本体制御部
２０  通信制御部
２２  画像読取部
２４  印刷処理部
２６Ｂ  操作部
２６Ａ  表示部
【図１】
2008187245.tif 000003
【図２】
2008187245.tif 000004
【図３】
2008187245.tif 000005
【図４】
2008187245.tif 000006
【図５】
2008187245.tif 000007
【図６】
2008187245.tif 000008
【図７】
2008187245.tif 000009